(57)【特許請求の範囲】
【請求項１】
ベースに構成され、記録媒体が装着される装着部と、
挿入された記録媒体を保持するとともに、挿入された記録媒体の取り出しを可能となす第１の位置と上記装着部に対向する第２の位置との間に亘って移動可能に配設された保持手段と、
上記保持手段を上記第１の位置と上記第２の位置との間の移動をガイドする第１のガイド手段と、
上記保持手段が上記第２の位置に至ったとき、上記装着部に対し近接離間する方向にガイドする第２のガイド手段と、
上記第２の位置に移動された上記保持手段を支持するとともに、回動操作されることによって上記保持手段を上記装着部に対し近接離間する方向に移動操作する支持手段と、
上記支持手段が上記保持手段を上記装着部に対し近接する方向に移動操作する回動方向に上記支持手段を付勢する付勢手段と、
上記付勢手段により付勢された上記支持手段の回動位置を規制する規制部を有し、上記保持手段が上記第２の位置に移動された位置にあるとき、上記保持手段の上記第１の位置と上記第２の位置との間に亘る移動方向と平行な方向に移動操作されて上記付勢手段に付勢された上記支持手段を回動操作して上記保持手段を上記装着部に対し近接離間する方向に移動操作する移動操作手段とを備え、
上記移動操作手段の上記規制部は、上記保持手段が上記第１の位置から上記第２の位置に移動する方向に向かって、上記保持手段が上記装着部に対し近接する方向に傾斜して形成された傾斜部であり、
上記保持手段が上記第１の位置から上記第２の位置に向かって移動する方向と、上記移動操作手段が上記支持手段を回動操作して上記保持手段を上記装着部に対し近接する方向に移動させるときの移動方向が相対向する方向であり、
上記保持手段は、上記第２の位置に移動された位置にあるとき、上記移動操作手段が移動操作され、上記支持手段が上記規制部に規制されて回動位置を変化されることにより、上記装着部に近接離間する方向に移動操作される記録媒体のローディング装置。
【請求項２】
上記保持手段と、上記移動操作手段とを選択的に移動操作する駆動機構とを備える請求項１記載の記録媒体のローディング装置。
【請求項３】
上記支持手段は、操作ピンを有し、
上記付勢手段により付勢された上記支持手段は、上記操作ピンが上記傾斜部に係合することにより回動位置が規制される請求項１記載の記録媒体のローディング装置。
【発明の詳細な説明】
【０００１】
【発明の属する技術分野】
本発明は、本発明は、情報信号が記録される光ディスク等の記録媒体、特に光ディスク等のディスクを収納したディスクカートリッジの如き記録媒体を装置本体内に構成される装着部にローディングさせるローディング装置に関する。
【０００２】
【従来の技術】
従来、情報信号の記録媒体として、光ディスク、光磁気ディスク、磁気ディク等のディスクが用いられている。この種のディスクは、カートリッジに収納されてディスクカートリッジとして構成されている。このようなディスクカートリッジを記録媒体に用いる記録及び／又は再生装置は、ディスクカートリッジを装着部に位置決めして装着し、このディスクカートリッジに収納されたディスクに対し情報信号の記録及び／又は再生手段を介して情報信号の記録及び／又は再生を行う。
【０００３】
光ディスクや光磁気ディスクを記録媒体に用いる記録及び／又は再生装置は、ディスクカートリッジの装着部に対応する位置に、情報信号の記録及び／又は再生手段を構成する光ピックアップ装置や磁気ヘッドを配設している。
【０００４】
ところで、光ディスク等のディスクを記録媒体に用いる記録及び／又は再生装置にあっては、装置本体内の装着部にディスクカートリッジを自動的にローディングさせるためにローディング装置が設けられている。この記録及び／又は再生装置に用いられるローディング装置は、ディスクカートリッジが挿入保持されるカートリッジホルダと、このカートリッジホルダに対しディスクカートリッジを挿脱可能となす位置と、カートリッジホルダを移動操作する移動操作機構を備えている。この移動操作機構は、ディスクカートリッジの挿脱を可能となす位置とディスクカートリッジを装着部に装着操作することを可能となす位置間に亘ってカートリッジホルダを移動操作するものである。すなわち、ディスクカートリッジは、カートリッジホルダがディスクカートリッジの挿脱を可能となす位置に移動された状態にあるとき、装置本体を構成する外筺に設けた挿脱口を介してカートリッジホルダに対する挿脱が行われ、カートリッジホルダがディスクカートリッジを装着部に装着操作を可能となす位置に移動された状態にあるとき、装着部に対する装脱が行われる。
【０００５】
ここで、ディスクカートリッジの挿脱を可能となす位置に移動された状態にあるカートリッジホルダに挿入保持されたディスクカートリッジは、このカートリッジに収納されたディスクの主面と平行な方向にカートリッジホルダとともにに移動操作され、装着部に対向する位置まで移送され、次いで、ディスクの主面と直交する方向に移動操作されて装着部に装着される。
【０００６】
また、装着部に装着されたディスクカートリッジを装置本体の外方に排出するイジェクト操作を行い際には、ローディング装置は、まず、ディスクカートリッジをディスクの主面と直交する方向に移動操作して装着部から離脱させ、次いで、ディスクの主面と平行な方向にカートリッジホルダとともにに移動操作し、挿脱口側に移動させる。
【０００７】
【発明が解決使用とする課題】
ところで、ディスクカートリッジを装置本体に設けた挿脱口を介してローディング操作を行うようしたスロットイン方式の記録及び／又は再生装置にあっては、ディスクカートリッジをイジェクト操作する際、ディスクカートリッジの一部を挿脱口から突出させる必要がある。そのため、ディスクカートリッジを装着部に装着させる位置から、ディスクカートリッジを装置本体外方に取り出す位置間に亘る移動距離が大きくする必要がある。また、ディスクカートリッジの移動距離を大きくするため、このディスクカートリッジを保持するカートリッジホルダの移動距離の移動距離も大きくなってしまう。その結果、この種のスロットイン方式のローディング装置を備えた記録及び／又は再生装置の大型化を招いてしまっている。
【０００８】
具体的には、この種のローディング装置において、ディスクカートリッジの移動操作は、カートリッジホルダの移動方向と直交する方向に突出するように設けた支持ピンを、カートリッジホルダの移動範囲に亘って形成された略Ｌ字状をなすスライドガイド溝に挿通させ、このスライドガイド溝と支持ピンを支持するカム板とを相対移動させることによって行われる。従って、カートリッジホルダのディスクカートリッジの挿脱を可能となす位置と保持したディスクカートリッジを装着部に装着させる位置間に亘る方向の移動距離、及びディスクカートリッジを装着部に装着させる位置に移動させれた後ディスクカートリッジを装着部に装着させるように移動させる距離を大きくするためには、支持ピンの移動を制御するカム板の移動距離を大きくする必要がある。このカム板の移動距離が大きくなると、ローディング装置が組み込まれる記録及び／又は再生装置は、カム板の移動距離を包含する大きさにする必要があり、装置自体の大型化を避けることができなくなってしまう。
【０００９】
また、挿入されたディスクカートリッジを保持するカートリッジホルダは、ディスクカートリッジが装着部に装着されたとき、ディスクカートリッジを装着部位置決めして装着させるため、ディスクカートリッジを押圧支持する機能を備えている。このディスクカートリッジを装着部側に押圧支持する機能は、カートリッジホルダに設けられたバネ部材によって行われる。このようにカートリッジホルダに、ディスクカートリッジを押圧支持するためのバネ部材を配設すると、カートリッジホルダの構成が複雑となってしまう。
【００１０】
そこで、本発明の目的は、従来のローディング装置が有してしている問題点を解決する新規な記録媒体のローディング装置及び記録及び／又は再生装置を提供することにある。
【００１１】
本発明の他の目的は、ディスクカートリッジの如き記録媒体を装置本体内の装着部にローディング操作する装置の小型化を図り、記録及び／又は再生装置自体の小型化を実現することにある。
【００１２】
本発明のさらに他の目的は、光ディスク等のディスクを収納したディスクカートリッジを保持する保持手段としてのホルダの移動範囲を小さくしながら、ディスクカートリッジの移動範囲を大きくし、確実に装着部にローディングさせることを可能となすローディング装置を提供することにある。
【００１３】
【課題を解決するための手段】
本発明に係る記録媒体のローディング装置は、上述したような、目的を達成するため、ベースに構成され、記録媒体が装着される装着部と、挿入された記録媒体を保持するとともに、挿入された記録媒体の取り出しを可能となす第１の位置と上記装着部に対向する第２の位置との間に亘って移動可能に配設された保持手段と、上記保持手段を上記第１の位置と上記第２の位置との間の移動をガイドする第１のガイド手段と、上記保持手段が上記第２の位置に至ったとき、上記装着部に対し近接離間する方向にガイドする第２のガイド手段と、上記第２の位置に移動された上記保持手段を支持するとともに、回動操作されることによって上記保持手段を上記装着部に対し近接離間する方向に移動操作する支持手段と、上記支持手段が上記保持手段を上記装着部に対し近接する方向に移動操作する回動方向に上記支持手段を付勢する付勢手段と、上記付勢手段により付勢された上記支持手段の回動位置を規制する規制部を有し、上記保持手段が上記第２の位置に移動された位置にあるとき、上記保持手段の上記第１の位置と上記第２の位置との間に亘る移動方向と平行な方向に移動操作されて上記付勢手段に付勢された上記支持手段を回動操作して上記保持手段を上記装着部に対し近接離間する方向に移動操作する移動操作手段とを備え、上記移動操作手段の上記規制部は、上記保持手段が上記第１の位置から上記第２の位置に移動する方向に向かって、上記保持手段が上記装着部に対し近接する方向に傾斜して形成された傾斜部であり、上記保持手段が上記第１の位置から上記第２の位置に向かって移動する方向と、上記移動操作手段が上記支持手段を回動操作して上記保持手段を上記装着部に対し近接する方向に移動させるときの移動方向が相対向する方向であり、上記保持手段は、上記第２の位置に移動された位置にあるとき、上記移動操作手段が移動操作され、上記支持手段が上記規制部に規制されて回動位置を変化されることにより、上記装着部に近接離間する方向に移動操作される。
【００１５】
【発明の実施の形態】
以下、本発明に係るローディング装置をこのローディング装置が適用された記録再生装置とともに図面を参照して説明する。
【００１６】
ここで説明するローディング装置及びこのローディング装置が適用される記録再生装置は、情報信号が記録される記録媒体として、ディスクをカートリッジに収納したディスクカートリッジを用いるものである。すなわち、記録媒体としてのディスクは、カートリッジ収納され、カートリッジと一体に記録再生装置内の装着部に装着操作される。
【００１７】
〔１〕ディスクカートリッジ
本発明が適用されるローディング装置及び記録再生装置を説明するに先立って、ローディング装置によってローディングされ、記録再生装置の記録媒体として用いられるディスクカートリッジを説明する。
【００１８】
ここで用いられるディスクカートリッジは、楽音信号等の情報信号の再記録を可能となす光磁気ディスクを収納した図１及び図２に示すように構成されたものと、予め楽音信号等の情報信号が記録され、この記録された情報信号の再生にのみに用いられる再生専用型の光ディスクを収納した図１及び図２に示すように構成されたものが用いられる。
【００１９】
情報信号の再記録を可能となす光磁気ディスク２０１は、直径が例えば６４ｍｍ程度のポリカーボネイトの如き透明合成樹脂材料よりなるディスク基板に、垂直磁化膜からなる信号記録層が被着形成されて構成されている。
【００２０】
この信号記録層は、光ピックアップ装置の光源から出射された光ビームにより局所的にキュリー温度以上に加熱され、この加熱された部分に外部磁界が印加されることにより、情報信号の記録が行われる。このように記録情報信号は、信号記録層に直線偏光された光ビームを照射し、信号記録層から反射される戻り光のカー効果による偏光方向の回転を光検出器により検出することにより、読み出される。
【００２１】
また、再生専用型の光ディスク２３１は、光磁気ディスク２０１のディスク基板と同様のディスク基板に、アルミニウムの如き金属材料よりなる反射層が被着形成されて構成されている。この光ディスク２３１には、情報信号に対応した微細なピット列が形成されることによって、情報信号の記録が固定的に行われる。この光ディスク２３１への情報信号の記録は、ディスク基板を成形する際、金型装置内に装着されたスタンパに予め形成されたピット列が転写されることによって行われる。そして、再生専用型の光ディスク２３１に記録された情報信号は、ピット列に光ピックアップ装置の光源から出射された光ビームを照射し、光ディスク２３１から反射された戻り光を光検出器により検出することによって読み出される。
【００２２】
そして、光磁気ディスク２０１及び光ディスク２３１は、いずれも、図１、図２及び図３、図４に示すように、カートリッジ本体２０５，２１６に回転可能に収納されてディスクカートリッジ２２０及び２２１を構成する。
【００２３】
光磁気ディスク２０１を収納した情報信号の再記録を可能となす記録型のディスクカートリッジ２２０は、図１及び図２に示すように、光磁気ディスク２０１の外径を略内接円とする方形状のカートリッジ本体２０５を備えている。このカートリッジ本体２０５の上面側には、図１に示すように、収納した光磁気ディスク２０１の信号記録領域の一部を内外周に亘って外方に臨ませる磁気ヘッド用の開口部２２３が形成されている。また、カートリッジ本体２０５の下面側には、図２に示すように、磁気ヘッド用の開口部２２３に対向して、同じく光磁気ディスク２０１の信号記録領域の一部を内外周に亘って外方に臨ませる光ピックアップ装置用の開口部２２２が形成されている。さらに、カートリッジ本体２０５の下面側の中央部には、カートリッジ本体２０５に収納した光磁気ディスク２０１を回転操作するディスク回転操作機構を構成するディスクテーブルが進入する円形をなす中央開口部２１３が形成されている。
【００２４】
そして、記録型のディスクカートリッジ２２０のカートリッジ本体２０５には、各開口部２２３，２２２を開閉するシャッタ部材２０６が取付けられている。このシャッタ部材２０６は、薄い金属板を打ち抜き折り曲げて形成されてなるものであって、各開口部２２３，２２２を覆うに足る大きさを有するシャッタ板とこれらシャッタ板の基端部を連結する連結部からなり、断面コ字状に形成されている。なお、シャッタ部材２０６は、合成樹脂を成形して形成されたものも用いられる。シャッタ部材２０６は、各シャッタ板が各開口部２２３，２２２を覆うようにしてカートリッジ本体２０５の前面側に取付けられ、この前面側に沿って移動することにより各開口部２２３，２２２を開閉する。シャッタ部材２０６は、連結部に設けた係合片をカートリッジ本体２０５の前面側に形成した移動ガイド溝２０７に係合させることにより、係合片が移動ガイド溝２０７にガイドされて安定した直線移動が保証される。
【００２５】
上述のように構成された記録型のディスクカートリッジ２２０は、シャッタ部材２０６が移動する前面側と直交する一側面を挿入端として、記録再生装置に挿脱される。すなわち、ディスクカートリッジ２２０は、図１及び図２中矢印Ｘ1 方向及び矢印Ｘ1 方向を挿脱方向として記録再生装置に挿脱される。
【００２６】
一方、再生専用型の光ディスク２３１を収納したディスクカートリッジ２２１も、記録型のディスクカートリッジ２２０と同様に、図３及び図４に示すように、光ディスク２３１の外径を略内接円とする方形状のカートリッジ本体２１６を備えている。このディスクカートリッジ２２１は、情報信号を記録するために用いられる磁気ヘッドを光ディスク２３１に対向させる必要がないので、カートリッジ本体２１６の上面側には閉塞されている。カートリッジ本体２１６の下面側には、光ディスク２３１の信号記録領域の一部を内外周に亘って外方に臨ませるとともに、光ディスク２３１に光ビームを照射してこの光ディスク２３１に記録されている情報信号を読み出すための光ピックアップ装置が臨む開口部２２２が形成されている。さらに、カートリッジ本体２１６の下面側の中央部には、カートリッジ本体２１６に収納した光ディスク２３１を回転操作するディスク回転操作機構を構成するディスクテーブルが進入する円形をなす中央開口部２１３が形成されている。
【００２７】
この再生専用型のディスクカートリッジ２２１においても、開口部２２２を開閉するシャッタ部材２１７が取付けられている。このシャッタ部材２１７は、開口部２２２を閉塞するに足る大きさのシャッタ板を有し、このシャッタ板の基端部側に、シャッタ部材２１７をカートリッジ本体２１６に移動可能に支持させるための断面コ字状をなす支持部を備えている。シャッタ部材２１７は、支持部２１７ａの一部をカートリッジ本体２１６の前面側に形成した移動ガイド溝２０７に係合させ、カートリッジ本体２１６の一部を狭持するようにして取付けられている。このように取付けられたシャッタ部材２１７は、カートリッジ本体２１６の前面側に沿って開口部２２３を開閉する方向に移動操作される。
【００２８】
上述のように構成された再生専用型のディスクカートリッジ２２１も、記録型のディスクカートリッジ２２０と同様に、シャッタ部材２１７が移動する前面側と直交する一側面を挿入端として、記録再生装置に挿脱される。すなわち、ディスクカートリッジ２２１は、図３及び図４中矢印Ｘ1 方向及び矢印Ｘ1 方向を挿脱方向として記録再生装置に挿脱される。
【００２９】
記録型のディスクカートリッジ２２０に取付けられたシャッタ部材２０６の連結部及び再生専用型のディスクカートリッジ２２１の取付けられたシャッタ部材２１７の支持部の略中央部には、ディスクカートリッジ２２０，２２１を記録再生装置からイジェクト操作する際、各開口部２２２，２２３を開放した位置に移動されたシャッタ部材２０６，２１７を各開口部２２２，２２３を閉塞する位置方向に移動操作する装置側に設けられたシャッタ閉塞操作部材が係合するる係合孔２０８が開設されている。
【００３０】
ところで、各ディスクカートリッジ２２０，２２１に収納される光磁気ディスク２０１及び光ディスク２３１の中心部には、円形をなす位置決め用のセンター穴２０４が形成されている。このセンター穴２０４が形成された中心部には、センター穴２０４を閉塞するようにしてチャッキングプレート２０２が取付けられている。このチャッキングプレート２０２は、マグネットに吸引可能となす磁性を有する金属板によって形成されている。これらセンター穴２０４及びチャッキングプレート２０２は、カートリッジ本体２０５，２１６に設けた中央開口部２１３を介して、カートリッジ本体２０５，２１６の外方に臨まされている。なお、センター穴２０４は、公差を［＋０．１ｍｍ，−０．０ｍｍ］の範囲として直径を１１．０ｍｍとして形成されている。
【００３１】
また、各ディスクカートリッジ２２０，２２１を構成するカートリッジ本体２０５，２１６の下面側には、これらディスクカートリッジ２２０，２２１が記録再生装置内の装着部に装着されたとき、装着部側に設けた位置決めピンが係合する一対の位置決め孔２０９，２１０が設けられている。これら位置決め孔２０９，２１０は、図２及び図４に示すように、シャッタ部材２０６，２１７が支持されるカートリッジ本体２０５，２１６の前面側の両側に位置して設けられている。すなわち、位置決め孔２０９，２１０は、開口部２２２を挟むようにして設けられている。なお、一方の位置決め孔２０９は、シャッタ部材２０６，２１７の移動方向を長径として形成され、長径方向の範囲で位置決めピンに対する係合位置を調整可能としている。また、他方の位置決め孔２１０は、真円に形成され位置決めピンに対する係合位置を規制する。
【００３２】
さらに、カートリッジ本体２０５，２１６の下面側の位置決め孔２０９，２１０が設けられた前面側と対向する背面側には、図２及び図４に示すように、複数の識別用穴２２４が形成されている。これら識別用穴２２４は、カートリッジ本体２０５，２１６が収納しているディスクの種別や状態、例えば情報信号の記録が可能か否かを表示するものである。そして、記録型のディスクカートリッジ２２０に設けられる１つの識別用穴２２４は、誤記録防止用の検出穴として用いられ、カートリッジ本体２０５内に移動可能に取付けられた誤記録防止部材２１４によって開閉される。すなわち、誤記録防止用の検出穴として用いられ識別穴２２４は、誤記録防止部材２１４が移動操作されることにより、識別用穴２２４の深さを変更することによって光磁気ディスク２０１に対する情報信号の記録の可否の状態を切り換える。さらにまた、カートリッジ本体２０５，２１６の記録再生装置への挿入端側となる一側面側の両側には、ディスクカートリッジ２２０，２２１を記録再生装置内に引き込み操作する引き込み機構の一部が係合する係合凹部２１２が形成されている。
【００３３】
そして、ディスクカートリッジ２２０，２２１を構成するカートリッジ本体２０５，２１６には、図２及び図４に示すように、これらディスクカートリッジ２２０，２２１が記録型又は再生専用型であることを示す光磁気ディスク識別凹部２１１又は光ディスクディスク識別凹部２１８が形成されている。これら識別凹部２１１，２１８は、カートリッジ本体２０５，２１６の下面側の記録再生装置への挿入端側に位置して設けられている。なお、各ディスク識別凹部２１１，２１８は、深さをこと異にして形成され、この深さの違いにより、各ディスクカートリッジ２２０，２２１が記録型であるか再生専用型であるかを表示する。
【００３４】
〔２〕ディスクカートリッジのローディング装置及びこのローディング装置を備えたディスク記録再生装置
次に、上述のように構成された記録型のディスクカートリッジ２２０又は再生専用型のディスクカートリッジ２２１が選択的に装着されるローディング装置を備えたディスク記録再生装置について説明する。
【００３５】
（２−１）記録再生部
本実施例のディスク記録再生装置は、図５及び図６に示すように、記録再生部取付け基台２を備えている。この取付け基台２は、平板状をなす金属板によって形成されたベース板１５とこのベース板１５が支持される支持フレーム１６とから構成されている。支持フレーム１６は、合成樹脂をモールド成形して形成されてなるものであって、ベース板１５の周縁を囲むように立ち上り形成されたフレーム部１６ａと、後述するローディング用の駆動モータ３４等のローディング装置の駆動機構が配設される取付け板部１６ｂとから構成されている。
【００３６】
ベース板１５の上面側には、この記録再生装置に装着されるディスクカートリッジ２２０又は２２１が装着される装着部３００が構成されている。この装着部３００には、装着されるディスクカートリッジ２２０又は２２１に設けた位置決め孔２０９，２１０にそれぞれ係合し、これらディスクカートリッジ２２０又は２２１の装着位置を位置決めする位置決めピン１７，１８が設けられている。これら位置決めピン１７，１８は、ベース板１５に合成樹脂材料をアウトサート成形することによって形成される。
【００３７】
装着部３００が構成されるベース板１５には、図６に示すように、装着部３００に装着されたディスクカートリッジ２２０又は２２１に収納された光磁気ディスク２０１又は光ディスク２３１を回転操作するディスク回転操作機構が配設されている。このディスク回転操作機構は、光磁気ディスク２０１又は光ディスク２３１が位置決めされて装着されるディスクテーブル１９と、このディスクテーブル１９を装着された光磁気ディスク２０１又は光ディスク２３１と一体に回転操作するスピンドルモータ２０とから構成されている。スピンドルモータ２０は、駆動軸をベース板１５上に構成された装着部３００側に突出させてベース板１５の下面側に取付けられる。ディスクテーブル１９は、スピンドルモータ２０の駆動軸に一体的に取付けられる。
【００３８】
なお、スピンドルモータ２０の駆動軸は、ベース板１５に設けた透孔を介して装着部３００側に突出されている。
【００３９】
ディスクテーブル１９は、略々円盤状に形成され、中央部に光磁気ディスク２０１又は光ディスク２３１のセンター穴２０４が係合するセンタリング部材が設けられている。このセンタリング部材は、ディスクテーブル１９に光磁気ディスク２０１又は光ディスク２３１が装着されていくとき、センター穴２０４に係合して、光磁気ディスク２０１又は光ディスク２３１のディスクテーブル１９に対し芯出しを図るものである。
【００４０】
さらに、ベース板１５には、光ピックアップ装置２１が配設されている。この光ピックアップ装置２１は、光源となる半導体レーザ、ビームスプリッタ等の光学部品や光検出器を内蔵した光学ブロックと、半導体レーザから出射された光ビームがディスクテーブル１９上に装着された回転操作される光磁気ディスク２０１又は光ディスク２３１の信号記録面に合焦され且つ記録トラックを正確に走査すように対物レンズの位置を制御する対物レンズ駆動装置とから構成されている。この光ピックアップ装置２１は、ベース板１５に形成した開口部内に位置するように配設されている。そして、光ピックアップ装置２１は、ベース板１５の下面側に取付けられたガイド軸２２及びガイド片２３に両側を支持され、これらガイド軸２２及びガイド片２３にガイドされてディスクテーブル１９上に装着された光磁気ディスク２０１又は光ディスク２３１の径方向に移動操作される。この光ピックアップ装置２１の送り操作は、ベース板１５の下面側に配設されたピックアップ送りモータ２４によって回転駆動される駆動力伝達ギヤ２５を介して行われる。
【００４１】
また、光ピックアップ装置２１には、この光ピックアップ装置２１と同期して移動可能となすように、光磁気ディスク２０１に外部磁界を印加する磁気ヘッド装置２６が連結されている。この磁気ヘッド装置２６は、合成樹脂の成形体内に導電性を有する一対の板バネを埋設したヘッドアーム２８の先端部に突出した板バネの先端に磁気ヘッド素子２９を取付けて構成されている。そして、磁気ヘッド装置２６は、ヘッドアーム２８の基端側に突出した板バネを介して設けられた合成樹脂製の取付け部２８ａを、光ピックアップ装置２１の対物レンズが配設される側の先端側と対向する基端側に設けられた取付け基台２７上に固定して光ピックアップ装置２１に連結されている。このとき、ヘッドアーム２８の先端に取付けられた磁気ヘッド素子２９は、光ピックアップ装置２１の対物レンズに対向した位置にある。
【００４２】
ところで、磁気ヘッド装置２６のヘッドアーム２８は、ヘッドアーム２８の基端部と取付け部２８ａとの間に位置して外方に臨まさせる一対の板バネの一部を弾性変位部３０として、磁気ヘッド素子２９がディスクテーブル１９上に載置されたディスク２０１又は２３１に対し接離する方向に回動変位される。また、ヘッドアーム２８の基端部からは、回動操作アーム３１が延長されている。ヘッドアーム２８は、回動操作アーム３１が押圧操作手段によって押圧操作されることにより、弾性変位部３０を中心にして、先端に取付けた磁気ヘッド素子２９をベース板１５から離間する方向に回動変位させる。
【００４３】
ヘッドアーム２８は、回動操作アーム３１が押圧操作されない状態では、磁気ヘッド素子２９をディスクテーブル１９上に載置されたディスク２０１又は２３１に近接する方向の図６中矢印Ｂ方向に変位されている。すなわち、ヘッドアーム２８の基端側に構成された弾性変位部３０は、磁気ヘッド素子２９をディスク２０１又は２３１に近接する方向に変位させる弾性力が付与されている。
【００４４】
磁気ヘッド装置２６のヘッドアーム２８の回動操作は、支持フレーム１６の取付け板部１６ｂ上に配設されたヘッド回動操作板３２によって行われる。このヘッド回動操作板３２は、基端部に突設した支軸３３を取付け板部１６ｂ上に植立された一対の支持柱に支持させ、この支軸３３を中心にして回動可能に取付けられている。この回動操作板３２は、先端部をヘッドアーム２８の回動操作アーム３１上に延在させている。回動操作板３２は、捩りコイルバネを介して先端部が回動操作アーム３１から離間する方向に回動付勢されている。そして、回動操作板３２は、捩りコイルバネの付勢力に抗して回動操作されることにより、回動操作アーム３１を押圧し、磁気ヘッド素子２９がディスクテーブル１９に載置されたディスク２０１又は２３１から離間する方向にヘッドアーム２８を回動操作する。
【００４５】
上述のように光磁気ディスク２０１又は光ディスク２３１に対し情報信号の記録及び／又は再生を行う記録及び／又は再生手段を構成する光ピックアップ装置２１及び磁気ヘッド装置２６が配設されたベース板１５を支持した支持フレーム１６の各コーナ部には、図６に示すように、取付け孔５１が穿設された支持脚片５１ａが設けられている。これら支持脚片５１ａは、図５、図７、図２９及び図３０に示すように、ダンパ１０を介して、支持基台１上に取付けられる。この支持基台１は、金属材板を打ち抜き折曲して図７に示すように方形状に形成されている。そして、支持基台１の各コーナ部には、支持フレーム１６を弾性変位可能に支持するダンパ１０が配設されている。このダンパ１０は、図７に示すように、支持基台１の各コーナ部に穿設されたネジ孔９を介して植立されたネジによって構成された支軸１１と、この支軸１１に嵌装されるスリーブ１２と、このスリーブ１２の外側に嵌装されるゴム製のブッシュ１３と、このブッシュ１３の外側に嵌装されるコイルバネ１４とから構成されている。そして、ブッシュ１３の上端部に取付け孔５１を嵌合することによって支持フレーム１６が支持される。このように、ダンパ１０を介して支持基台１上に支持された支持フレーム１６は、支軸１１の軸方向に弾性変位可能となる。
【００４６】
また、支持基台１の相対向する両側には、この支持基台１上に弾性変位可能に支持された支持フレーム１６を固定支持する複数のロック片７が立ち上り形成されている。これらロック片７の一側面には、図７に示すように、後述する昇降操作板５に設けた係合片１５５が係合する係合溝８が形成されている。
【００４７】
さらに、支持基台１の各コーナ部には、垂下するように取付け部６が設けられている。支持基台１は、取付け部６を固定されて記録再生装置の装置本体を構成する外筺内に配設される。
【００４８】
上述のように光磁気ディスク２０１又は光ディスク２３１に対し情報信号の記録及び／又は再生を行う記録再生部が構成された支持基台１が収納配設された外筺には、具体的に図示はしないが、周知のスロットイン方式を採用した記録及び／又は再生装置と同様に、装着部３００に装着されるディスクカートリッジ２２０又は２２１を挿脱するための挿脱口が設けられている。この挿脱口は、ディスクカートリッジ２２０又は２２１の挿入端側の側面の形状に対応する大きさを有する開口部として形成されている。この挿脱口は、後述するように、回動蓋１５７によって閉塞される。この回動蓋１５７は、平板状に形成され、相対向する両側の上縁側に突設された左右一対の支軸１５８を介して、外筺に回動可能に支持されている。
【００４９】
さらに、支持基台１上に支持された支持フレーム１６の上面側には、図８に示すように、金属板により形成された略平板状をなすトッププレート３が取付けられる。このトッププレート３は、図８に示すように、各コーナ部に取付け孔７９及び位置決め孔８０が穿設され、各取付け孔７９に挿通された図示しない固定ネジを支持フレーム１６の上面側の各コーナ部に穿設したネジ孔５２に螺合することによって、この支持フレーム１６に取付けられている。また、各位置決め孔８０には、支持フレーム１６に穿設したネジ孔５２の近傍に突設された位置決め突起５３が嵌合される。トッププレート３は、各位置決め孔８０がそれぞれ位置決め突起５３に嵌合することにより、支持フレーム１６に対する取付け位置の位置決めが図られる。
【００５０】
また、トッププレート３の上面側には、カートリッジホルダ４に取付けられるイジェクトレバー９８の回動を制御するガイド部材８４が設けられている。このガイド部材８４は、図８に示すように、略台形状に形成され、基端側のコーナ部に穿設した嵌合孔８５をトッププレート３の上面側に円筒状に突設したカシメ軸８３に嵌合させ、このカシメ軸８３をカシメることによって、カシメ軸８３を中心に回動可能に取付けられる。そして、ガイド部材８４は、このガイド部材８４に穿設されたバネ係止孔８６とトッププレート３の上面側に立ち上り形成されたバネ係止片８９との間に張設された引張りバネ８７により、カシメ軸８３を中心にして、図８中矢印Ｄ方向に回動付勢されている。この引張りバネ８７によるガイド部材８４の回動付勢位置は、トッププレート３の一部を切起し形成した係止片９０にガイド部材８４の一部が当接されることにより規制される。さらに、ガイド部材８４のトッププレート３に対向する下面側には、突条部８８が突設されている。この突条部８８は、トッププレート３の一部を切り欠いて形成した切欠き穴８２を介してトッププレート３の下面側に突出されている。
【００５１】
さらに、トッププレート３の後方縁側の略中央部には、後述するカートリッジホルダ４に取付けられたイジェクト検出レバー１２３の操作ピン１２５が当接する当接片８１が立ち上り形成されている。
（２−２）カートリッジホルダ
本発明が適用されたディスク記録再生装置は、ベース板１５上に構成された装着部３００上に位置して、挿脱口を介して外筺内に挿入されたディスクカートリッジ２２０又は２２１を保持し、挿入保持されたディスクカートリッジ２２０又は２２１を挿脱口を介して取り出しを可能となす第１の位置と、ディスクカートリッジ２２０又は２２１を装着部３００の上方に位置させた装着部３００に対するディスクカートリッジ２２０又は２２１の装脱を可能となす第２の位置間に亘って移動操作されるカートリッジホルダ４を備えている。
【００５２】
カートリッジホルダ４は、図５及び図９に示すように、ディスクカートリッジ２２０又は２２１を保持するに足る大きさの平板状に形成されてなるものであって、金属板を打ち抜き折曲して形成される。このカートリッジホルダ４は、相対向する両側に断面コ字状をなすカートリッジ保持部９６，９６が形成され、装着部３００上に配設されたとき、外筺に設けられた挿脱口に対向する前面側を開放し、この開放された部分を介してディスクカートリッジ２２０又は２２１の挿脱が行われる。
【００５３】
カートリッジホルダ４には、挿脱口に対向する前方側よりカートリッジ保持部９６，９６間にディスクカートリッジ２２０又は２２１が挿入されたときに、このディスクカートリッジ２２０又は２２１のカートリッジホルダ４に対する挿入位置を位置決めする位置決め片１３９，１０７が設けられている。一方の位置決め片１３９は、一方のカートリッジ保持部９６側に位置して設けられ、他方の位置決め片１０７は、カートリッジホルダ４の平面部４ａの他方のカートリッジ保持部９６側に位置する一部をカートリッジホルダ４の内方に切起して形成されている。
【００５４】
さらに、カートリッジホルダ４には、カートリッジ保持部９６，９６間にディスクカートリッジ２２０又は２２１が挿入されたときに、シャッタ部材２０６又は２１７の挿入方向側の端部に当接し、このシャッタ部材２０６又は２１７をカートリッジホルダ４に挿入されるディスクカートリッジ２２０又は２２１に対し相対移動させ、開口部２２２，２２３を開放操作するシャッタ開放操作片１５６が設けられている。このシャッタ開放操作片１５６は、図９に示すように、一方のカートリッジ保持部９６の側面の一部を切起して形成されている。この一方のカートリッジ保持部９６側には、カートリッジホルダ４に保持されたディスクカートリッジ２２０又は２２１を抜き取るとき、開口部２２２，２２３を開放した位置に移動されたシャッタ部材２０６又は２１７を係止し、抜取り操作されるディスクカートリッジ２２０又は２２１に対し相対移動させるシャッタ閉塞操作レバー１３２が取付けられている。このシャッタ閉塞操作レバー１３２は、一方のカートリッジ保持部９６の側面に沿ってディスクカートリッジ２２０又は２２１の挿脱方向に延長して配設されている。
【００５５】
すなわち、シャッタ閉塞操作レバー１３２は、基端側に穿設した貫通孔１３３，１３３に、一方のカートリッジ保持部９６の側面に形成した支軸支持部１４０に支持された支軸１３６を挿通させることにより、この支軸１３６を中心に回動可能に取付けられている。また、シャッタ閉塞操作レバー１３２は、支軸１３６にコイル部を嵌装させた捩りコイルバネ１３７により、先端側をカートリッジホルダ４の内方に突出する方向に回動付勢されている。このシャッタ閉塞操作レバー１３２の先端側には、カートリッジホルダ４の内方に突出するように、シャッタ部材２０６又は２１７に設けた係合孔２０８に係合する係合突起１３４が突設されている。この係合突起１３４は、一方のカートリッジ保持部９６の側面の前端縁に形成した切欠き部１４１を介して、カートリッジホルダ４の内方に突出される。
【００５６】
係合突起１３４は、ディスクカートリッジ２２０又は２２１がカートリッジ保持部９６，９６間に挿入されシャッタ部材２０６又は２１７の挿入方向側の前端縁にシャッタ開放操作片１５６が当接したとき、シャッタ部材２０６又は２１７に設けた係合孔２０８に係合する。そして、シャッタ閉塞操作レバー１３２は、ディスクカートリッジ２２０又は２２１がカートリッジホルダ４より前方側に抜き取られるときに、シャッタ部材２０６又は２１７をディスクカートリッジ２２０又は２２１に対し相対移動させた後、捩りコイルバネ１３７の付勢力に抗して外方側に回動され、係合突起１３４の係合孔２０８に対する係合を解除させる。
【００５７】
そして、カートリッジホルダ４の相対向する両側である一対のカートリッジ保持部９６，９６の外方側の側面には、このカートリッジホルダ４を支持フレーム１６に対し移動可能に支持するとともに、カートリッジホルダ４の移動方向をガイドする支持ピン９５が一対ずつ突設されている。
【００５８】
上述のように構成されたカートリッジホルダ４は、図１０に示すように、ベース板１５とトッププレート３との間に位置して、ベース板１５上に構成される装着部３００に対向するように配設される。そして、カートリッジホルダ４は、挿入保持されたディスクカートリッジ２２０又は２２１を挿脱口を介して取り出しを可能となす第１の位置と、ディスクカートリッジ２２０又は２２１を装着部３００の上方に位置させた装着部３００に対するディスクカートリッジ２２０又は２２１の装脱を可能となす第２の位置間に亘ってベース板１５の平面に平行に移動可能に支持される。
【００５９】
すなわち、カートリッジホルダ４は、相対向する両側に突設した一対ずつの支持ピン９５，９５及び９５，９５を、支持フレーム１６の相対向する両側に立ち上り形成した側壁１７１，１７２の上端面側に図６に示すように形成した第１のガイド手段を構成する移動ガイド部４９，４９及び４９，４９上に載置することにより、これら移動ガイド部４９，４９及び４９，４９上を支持ピン９５，９５及び９５，９５がスライドすることにより、第１の位置と第２の位置との間に亘って移動可能となされている。これら移動ガイド部４９上には、支持ピン９５の軸径分を間隙を隔てトッププレート３が対向することにより、移動ガイド部４９上に載置された支持ピン９５の脱落が防止され、さらには、カートリッジホルダ４の支持フレーム１６からの脱落が防止される。
【００６０】
なお、第１のガイド手段を構成する移動ガイド部４９は、カートリッジホルダ４の第１の位置と第２の位置間に亘って移動することを許容する長さを有するように形成されている。また、移動ガイド部４９は、各支持ピン９５を支持することにより、カートリッジホルダ４のベース板１５に平行な方向の移動をガイドする。
【００６１】
また、カートリッジホルダ４は、ベース板１５上の装着部３００に対向する第２の位置にあるとき、装着部３００に対し垂直に接離する方向に移動可能に支持されている。
【００６２】
すなわち、上記ガイド部４９の後方端、すなわちカートリッジホルダ４の第２の位置方向に移動したときの端部には、ベース板１５の上面に構成された装着部３００に垂直な垂直ガイド溝５０が形成されている。この第２のガイド手段を構成する垂直ガイド溝５０は、各移動ガイド部４９の内方側の端部、すなわち、後端部に至りさらに後方側に移動されてこれら移動ガイド部４９より離間した各支持ピン９５の下方側への移動を可能とするとともに、これら支持ピン９５のベース板１５に平行な方向の位置を規制する。
【００６３】
このカートリッジホルダ４の平面部４ａには、ベース板１５上に配設された磁気ヘッド装置２６のヘッドアーム２８の回動を許容する開口部９２が形成されている。
【００６４】
また、カートリッジホルダ４の平面部４ａの内面側には、カートリッジ挿入検出レバー１１９が回動可能に取り付けられている。このカートリッジ挿入検出レバー１１９は、基端部に穿設した支持孔１２０にカートリッジホルダ４の下面側に垂下するように植立した支軸１０４を挿通させ、この支軸１０４を中心に回動可能に支持されている。そして、検出レバー１１９は、先端部に設けた当接部１２２を他方のカートリッジ保持部９６側に位置させ、支軸１０４を中心にして図９及び図１０中中矢印Ｆ方向に図示しない捩じりコイルバネより回動付勢されている。検出レバー１１９の回動付勢位置は、当接部１２２をカートリッジホルダ４の平面部４ａの一部を切り起こして形成した位置決め片１０７に当接させて回動位置が規制されている。この検出レバー１１９のディスクカートリッジ２２０又は２２１の挿入方向側に対向する一側面には、カートリッジホルダ４に挿入されるディスクカートリッジ２２０又は２２１に当接し、ディスクカートリッジ２２０又は２２１の挿入を検出する検出突起１２１が突設されている。すなわち、このカートリッジ挿入検出レバー１１９は、カートリッジホルダ４にディスクカートリッジ２２０又は２２１が挿入されると、このディスクカートリッジ２２０又は２２１によって検出突起１２１が押圧されて、捩じりコイルバネの付勢力に抗して支軸１０４を中心に回動されることによって、カートリッジホルダ４にディスクカートリッジ２２０又は２２１が挿入されたことを検出する。
【００６５】
さらに、カートリッジホルダ４の平面部４ａの内面側には、カートリッジ保持部９６に平行となるように延在されて、カートリッジホルダ４の誤動作を防止する誤動作防止レバー１１４が回動可能に取付けられている。この誤動作防止レバー１１４は、基端部に穿設した支持孔１１５にカートリッジホルダ４の下面側に垂下するように植立した支軸１０３を挿通させ、この支軸１０３を中心に回動可能に支持されている。そして、誤動作防止レバー１１４は、先端部に形成した係合爪１１７をディスクカートリッジ２２０又は２２１の挿入方向に対向させ、係合爪１１７を設けた先端部がカートリッジホルダ４の内方側に向かう図９中矢印Ｅ方向に図示しない捩じりコイルバネより回動付勢されている。この誤動作防止レバー１１４は、一側面に突設した係止突起１１８をカートリッジ挿入検出レバー１１９の先端部に設けた当接部１２２に当接させることにより、捩じりコイルバネによる回動付勢位置が規制される。また、誤動作防止レバー１１４の先端部の係止爪１１７が突設された側とは反対側の他側面には、誤動作規制突起１１６が設けられている。誤動作防止レバー１１４は、ディスクカートリッジ２２０又は２２１が挿入されない状態でカートリッジホルダ４がディスクカートリッジ２２０又は２２１の挿脱を可能となす挿脱口側に位置する第１の位置から装置本体内の第２の位置方向に移動されようとすると、誤動作規制突起１１６が支持フレーム１６の相対向する両側に立ち上り形成した側壁１７１，１７２の一方の内側面に突設された誤動作規制片１６５に当接され、カートリッジホルダ４の第２の位置方向への移動を規制する。すなわち、誤動作防止レバー１１４は、カートリッジホルダ４にディスクカートリッジ２２０又は２２１が挿入されない状態でのローディング操作を規制する。
【００６６】
そして、この誤動作防止レバー１１４は、カートリッジホルダ４にディスクカートリッジ２２０又は２２１が挿入されてカートリッジ挿入検出レバー１１９が捩じりコイルバネの付勢力に抗して図９中反矢印Ｆ方向に回動されると、誤動作規制突起１１６の当接部１２２への当接が解除されることにより、捩じりコイルバネの付勢力を受けて図９中矢印Ｅ方向のカートリッジホルダ４の内方に向かって回動される。このとき、この誤動作防止レバー１１４は先端部に設けた係合爪１１７を、カートリッジホルダ４に挿入されたディスクカートリッジ２２０又は２２１に設けた係合凹部２１２に係合させるとともに、誤動作防止突起１１６を誤動作防止片１６５に当接させない位置に移動させる。
【００６７】
そして、支持フレーム１６の相対向する両側に立ち上がり形成した側壁１７１，１７２の外側面側には、図６に示すように、カートリッジホルダ４をベース板１５上に構成された装着部３００に対し接離させる方向に移動可能に支持するカートリッジホルダ支持用の複数の支持レバー６５が取付けられている。これら支持レバー６５は、基端部に設けた円筒状をなす軸挿通部７０を支持フレーム１６の側壁１７１，１７２に植立した支持軸７１に挿通支持させ、この支持軸７１を中心に回動可能に取付けられている。このとき、支持レバー６５は、先端部側を移動ガイド部４９に臨ませるようにして、支持フレーム１６の側壁１７１，１７２に取付けられる。そして、各支持レバー６５の先端部には、カートリッジホルダ４の両側に突設した支持ピン９５が係合される係合凹部６７が形成されている。これら係合凹部６７は、支持レバー６５の前端面を開放した凹部として形成されている。
【００６８】
また、各支持レバー６５は、捩じりコイルバネ６６により、前端部側がベース板１５方向の下方に向かう図６中矢印Ａ方向に回動付勢されている。この捩じりコイルバネ６６は、コイル部を軸挿通部７０に巻回させ、一方のアーム部を支持フレーム１６の側壁１７１，１７２に突設した係止片７２に係止させ、他方のアーム部を支持レバー６５に突設された係止突起５９に係止させて取付けられることにより、支持レバー６５を図６中矢印Ａ方向に回動付勢している。
【００６９】
（２−３）カートリッジホルダの昇降操作機構
光磁気ディスク２０１又は光ディスク２３１に対する情報信号の記録及び／又は再生を行う記録及び／又は再生部が構成された支持フレーム１６の上面側に配設されたトッププレート３上には、図５、図１０，図１１、図３０及び図３１に示すように、装着部３００の上方に対向する位置に移動されたカートリッジホルダ４を装着部３００に対し昇降操作する昇降操作機構を構成する昇降操作板５が配設されている。この昇降操作板５は、カートリッジホルダ４の第１の位置と第２の位置に亘って移動する方向と平行に移動操作されるものであって、金属板を断面コ字状に折り曲げて形成されている。
【００７０】
この昇降操作板５の相対向する両側の各側壁５ａ，５ｂの下端縁には、内方に向けて折り曲げられた一対の支持片１５３が形成されている。昇降操作板５は、各支持片１５３を支持フレーム１６の下面側に係合させることによって支持フレーム１６に対して移動可能に支持される。
【００７１】
昇降操作板５の相対向する両側の各側壁５ａ，５ｂには、移動方向に並列して一対ずつの開口部１５１が穿設されている。これら開口部１５１には、カートリッジホルダ４を支持する支持レバー６５に設けられた操作ピン６８が挿通される。各開口部１５１には、図１１に示すように、支持レバー６５に設けた操作ピン６８が載置される傾斜カム部１５２が形成されている。これら傾斜カム部１５２は、ディスクカートリッジ２２０又は２２１の挿入側から内方側に向かって徐々に下降するように傾斜して形成されている。このように傾斜カム部１５２を設けることにより、昇降操作板５が支持フレーム１６に対し移動操作されると、図２３に示すように、操作ピン６８が傾斜カム部１５２に沿って移動操作され、支持レバー６５が回動操作される。支持レバー６５が回動操作されることにより、装着部３００に対向する位置に移動されたカートリッジホルダ４が、装着部３００に対し接離する方向に移動操作される。
【００７２】
昇降操作板５は、カートリッジホルダ４を装着部３００から離間させた位置に移動させた外筺の内方に移動された状態にあるとき、相対向する側壁５ａ，５ｂの下端縁に図１１に示すように、外方側に向かって折り曲げ形成した係合片１５５が支持基台１のロック片７の係合溝部８に係合され、支持フレーム１６を支持基台１に固定する。
【００７３】
また、昇降操作板５は、外筺の挿脱口側に向かう外方側に向かって移動すると、操作ピン６８が傾斜カム部１５２の下方側に向かって移動され、支持レバー６５が捩りコイルバネ６６の付勢力を受けて図６及び図２１中矢印矢印Ａ方向に回動される。この支持レバー６５の回動によって、装着部３００から離間した位置に保持されていたカートリッジホルダ４が装着部３００側に垂直に下降し、このカートリッジホルダ４に保持されているディスクカートリッジ２２０又は２２１が装着部３００に装着される。このとき、カートリッジホルダ４は、支持レバー６５を回動付勢する捩りコイルバネ６６の付勢力を受けて装着部３００側に押圧付勢され、保持したディスクカートリッジ２２０又は２２１を装着部３００に圧接支持する。
【００７４】
昇降操作板５は、カートリッジホルダ４を装着部５側に下降させた位置に移動させた位置にあるとき、図２３に示すように、係合片１５５の支持基台１のロック片７に対する係合が解除され、支持フレーム１６を支持基台１に対してダンパ１０の弾性変位による移動が可能ないわゆるフローティング状態となす。
【００７５】
また、昇降操作板５は、カートリッジホルダ４を装着部３００側に下降させた位置からさらに外筺の外方に向かう前方に移動すると、図２４及び図２５に示すように、磁気ヘッド装置２６のヘッドアーム２８を弾性変位部３０の弾性変位力を利用して、ディスクテーブル１９上に装着された光磁気ディスク２０１に摺接させる。
【００７６】
すなわち、昇降操作板５は、ヘッド回動操作板３２を押圧操作する突条部１４５を有している。この突条部１４５は、昇降操作板５の下面側に内方に向かって突出されており、昇降操作板５がカートリッジホルダ４を装着部３００から離間させた位置から装着部３００側に下降させた位置にあるときには、ヘッド回動操作板３２を下方側に押圧支持している。そして、この突条部１４５は、昇降操作板５がカートリッジホルダ４を装着部３００側に下降させた位置からさらに前方に移動すると、ヘッド回動操作板３２から離間し、このヘッド回動操作板３２の押圧操作を解除する。突条部１４５によるヘッド回動操作板３２の押圧支持が解除されると、ヘッドアーム２８は、弾性変位部３０の弾性変位力を受けて回動され、先端部に取付けた磁気ヘッド素子２９をディスクテーブル１９上の光磁気ディスク２０１に摺接させる。
【００７７】
（２−４）駆動機構
次に、カートリッジホルダ４及び昇降操作板５を移動操作し、カートリッジホルダ４に挿入保持されたディスクカートリッジ２２０又は２２１をローディング操作する駆動機構について説明する。
【００７８】
この駆動機構は、図６に示すように、支持フレーム１６の取付け板部１６ｂ上に配設された回転体４５と、この回転体４５を回転操作する駆動モータ３４を備えている。回転体４５は、取付け板部１６ｂに植立された支軸４６を介して回転可能に支持され、略３６０度の範囲に亘って回転操作される。この回転体４５を回転操作する駆動モータ３４の駆動軸には、駆動プーリ３５が取り付けられている。この駆動プーリ３５には、支持フレーム１６に支軸３９を介して回転可能に取付けられた従動プーリ３７との間で、無端ベルト３６が巻き掛けられている。従動プーリ３７には、第１の伝達ギヤ３８が一体的に形成されている。この第１の伝達ギヤ３８は、支持フレーム１６に支軸４１を介して回転可能に取り付けられた第２の伝達ギヤ４０に噛合している。この第２の伝達ギヤ４０には、第３の伝達ギヤが一体的に形成されている。この第３の伝達ギヤは、支持フレーム１６に支軸４４を介して回転可能に取付けられた第４の伝達ギヤ４２に噛合している。この第４の伝達ギヤ４２には、第５の伝達ギヤ４３が一体的に形成されている。この第５の伝達ギヤ４３は、回転体４５の外周部に形成されたギヤ部４７に噛合している。  回転体４５の主面部の軸心から偏心した位置には、カートリッジホルダ４の平面部４ａに設けられたカム溝１１２に挿通係合された移動操作ピン４８が植立されている。カートリッジホルダ４に形成されたカム溝１１２は、図９に示すように、カートリッジホルダ４の移動方向に直交する方向に延長された直線状のカム部１１２ａと、このカム部１１２ａに連続する半円状をなす円弧状のカム部１１２ｂとから構成されている。そして、移動操作ピン４８は、カートリッジホルダ４が外筺に設けた挿脱口側に位置する第１の位置側に移動された状態にあるとき、カム溝１１２の直線状のカム部１１２ａに係合した位置に置かれる。
【００７９】
回転体４５は、カートリッジホルダ４にディスクカートリッジ２２０又は２２１が挿入操作されて駆動モータ３４が回転駆動を開始し、ローディング操作が開始されたとき、図１４乃至図１８に示すように、移動操作ピン４８がカム溝１１２の直線状のカム部１１２ａに沿って移動し、カートリッジホルダ４を外筺内方の装着部３００に対向する第２の位置方向に移動操作する。
【００８０】
そして、回転体４５が、図１８中矢印Ｋ1 方向に初期状態より１８０度回転されて移動操作ピン４８が外筺の内方に位置する側に移動されると、図１８に示すように、カートリッジホルダ４は、装着部３００の上方に対向する第２の位置に移動される。この後、回転体４５がさらに図１８中矢印Ｋ1 方向に回転されると、移動操作ピン４８は、図１８、図２０、図２２及び図２４に示すように、カム溝１１２の円弧状をなすカム部１１２ｂに至り、このカム部１１２ｂに沿ってさらに１８０度回転する。このとき、カム部１１２ｂは、移動操作ピン４８の移動軌跡に一致する円弧状に形成されているので、カートリッジホルダ４は、移動操作されることなく第２の位置に置かれた状態を維持する。
【００８１】
移動操作ピン４８は、カートリッジホルダ４を第２の位置に移動させたとき、すなわち、外筺の内方に移動された位置に位置するとき、昇降操作板５に設けた係合部１４６に係合する。このとき、昇降操作板５は、支持レバー６５を上方側に回動させ、後述するように、支持フレーム１６に固定支持された状態に置かれている。なお、移動操作ピン４８が係合する係合部１４６は、図１１に示すように、昇降操作板５の後方側に位置して下方側に垂下された前後一対の係合片１４７，１４８間の間隙をもって構成される。
【００８２】
カートリッジホルダ４が装着部３００に対向する第２の位置に移動された後、回転体４５がさらに図１８中矢印Ｋ1 方向に回転され、移動操作ピン４８がカム溝１１２の円弧状のカム部１１２ｂに沿って移動するとき、この移動操作ピン４８は、図１８乃至図２４に示すように、係合部１４６を介して、昇降操作板５をカートリッジホルダ４の挿脱口側である前方側に移動させる。
【００８３】
本発明に係るディスクカートリッジのローディング装置においては、カートリッジホルダ４と昇降操作板５とは、共通の駆動源である駆動モータ３４によって移動操作される。
【００８４】
また、このローディング装置においては、カートリッジホルダ４が装着部３００に対向する第２の位置方向に移動操作されるときの移動方向と、昇降操作板５が支持レバー６５を回動操作してカートリッジホルダ４を装着部３００側に近接する方向に移動させるときの移動方向とは、互いに逆方向となされている。
【００８５】
支持フレーム１６の後方側部分には、図６に示すように、昇降操作板５をロックするロックレバー５６が、支持フレーム１６の後方側部分に植立された支軸５４を介して、回動可能に配設されている。このロックレバー５６は、カートリッジホルダ４の後端縁に対向する操作ピン５７と、昇降操作板５を後方側位置にて係止するための係止部５９とを有している。このロックレバー５６は、捩りコイルバネ５５により、操作ピン５７をカートリッジホルダ４に近接する前方側に移動させる方向に回動付勢されている。
【００８６】
このロックレバー５６は、カートリッジホルダ４が装着部３００に対向する第２の位置より挿脱口側の第１の位置側に位置しているときには、カートリッジホルダ４の後端縁が操作ピン５７より離間されているため、捩りコイルバネ５５の付勢力により回動されて初期位置に回動付勢されている。ロックレバー５６の係止部５９は、昇降操作板５の後方側の下面部より垂下された係止ピン１５４を係止して、昇降操作板５の前方側への移動を阻止し、この昇降操作板５を支持フレーム１６に固定させた位置に保持する。そして、このロックレバー５６は、カートリッジホルダ４が第２の位置に至ると、カートリッジホルダ４の後端縁により操作ピン５７が押圧され、捩りコイルバネ５５の付勢力に抗して回動される。このとき、このロックレバー５６の係止部５９は、昇降操作板５の係止ピン１５４に対する係止を解除し、この昇降操作板５の前方側への移動を可能とする。
【００８７】
また、支持フレーム１６の後方側部分には、プリント基板６１を介して、第１、第２及び第３の位置検出スイッチ６２，６３，６４が取付けられている。第１及び第２の位置検出スイッチ６２，６３は、昇降操作板５の位置を検出するためのものであり、押圧子を上方側に向けて、前後に配列されて配設されている。これら第１及び第２の位置検出スイッチ６２，６３は、昇降操作板５が支持支持基台１に固定支持された位置にあるときには、図２０及び図２１に示すように、双方とも押圧操作されない状態にある。そして、これら第１及び第２の位置検出スイッチ６２，６３のうち後方側に位置する第１の位置検出スイッチ６２は、図２２及び図２３に示すように、昇降操作板５がカートリッジホルダ４を装着部３００側に下降させた位置にあるときに、この昇降操作板５の後方側に設けられたスイッチ押圧突起１４４により押圧操作される。このスイッチ押圧突起１４４は、昇降操作板５の下面側に下方側に向けて突出されている。
【００８８】
さらに、第１及び第２の位置検出スイッチ６２，６３の双方は、図２４及び図２５に示すように、昇降操作板５が磁気ヘッド装置２６の磁気ヘッド素子２９を光磁気ディスク２０１に摺接させた記録モード位置に移動させた状態にあるとき、スイッチ押圧突起１４４により押圧操作される。
【００８９】
また、第３の位置検出スイッチ６４は、カートリッジホルダ４の位置を検出するためのものであり、押圧子を後方側に向けて配設されている。この第３の位置検出スイッチ６４は、カートリッジホルダ４がディスクカートリッジ２２０又は２２１の挿脱を可能となす第１の位置よりも外筺内方の後方側に位置するときには、図１５乃至図１７に示すように、カートリッジホルダ４によって押圧操作されない状態にある。そして、この第３の位置検出スイッチ６４は、図１２、図１３及び図１４に示すように、カートリッジホルダ４が第１の位置にあるときに、このカートリッジホルダ４の後方側に設けられたスイッチ押圧片９４により押圧操作される。このスイッチ押圧片９４は、カートリッジホルダ４の後端側部分の一部を側方側に折り曲げて形成されている。
【００９０】
さらに、カートリッジホルダ４には、図９に示すように、イジェクト検出レバー１２３が、回動可能に取付けられている。このイジェクト検出レバー１２３は、中央部に穿設した支持孔１２４にカートリッジホルダ４の下面側に垂下するように植立した支軸１０５を挿通させ、この支軸１０５を中心に回動可能に支持されている。このイジェクト検出レバー１２３は、当接部１２６をカートリッジホルダ４の後方側に向け、当接部１２６が後方側となる方向の図９中矢印Ｇ方向に図示しない引張りバネにより回動付勢され、操作ピン１２５をカートリッジホルダ４に設けられた透孔１１０の前縁部に当接させて位置決めされている。このイジェクト検出レバー１２３は、カートリッジホルダ４が第１の位置に移動された状態にあるときには、操作ピン１２５をトッププレート３の当接片８１に当接させ、引張りバネの付勢力に抗して回動操作されている。
【００９１】
また、カートリッジホルダ４には、図９に示すように、移動操作ピンガイドレバー１２８が回動可能に取付けられている。この移動操作ピンガイドレバー１２８は、基端側の支持孔１２９にカートリッジホルダ４の下面側に垂下するように植立された支軸１０６を挿通させ、この支軸１０６を中心に回動可能に支持されている。この移動操作ピンガイドレバー１２８は、先端部をカートリッジホルダ４の側方側に向け、側縁部に設けられた当接突起部１３１をカートリッジホルダ４の前方側に向け、先端側をカートリッジホルダ４の後方側であるカム溝１１２側に移動させる方向の図９中矢印Ｈ方向に図示しない捩りコイルバネにより回動付勢されている。この移動操作ピンガイドレバー１２８は、カム溝１１２の直線状のカム部１１２ｂに対向する位置に形成された切欠き部１１３の下方側に位置し、一側部によって切欠き部１１３を覆う位置で位置決めされている。また、移動操作ピンガイドレバー１２８は、当接突起部１３１を、イジェクト検出レバー１２３の当接部１２６に対向させている。
【００９２】
さらに、移動操作ピンガイドレバー１２８は、カートリッジホルダ４が第１の位置にあるときには、イジェクト検出レバー１２３が引張りバネにより図９中矢印Ｇ方向に回動されているために、前方側への回動が可能となる。従って、このとき、カートリッジホルダ４にディスクカートリッジ２２０又は２２１が挿入され、このカートリッジホルダ４が第２の位置方向に向かって移動されようとすると、移動操作ピンガイドレバー１２８は、移動操作ピン４８に当接され、カートリッジホルダ４に対して前方側に回動され、移動操作ピン４８の切欠き部１１３への進入を可能として、カートリッジホルダ４の後方側への移動を可能とする。
【００９３】
移動操作ピン４８の切欠き部１１３への進入によるカートリッジホルダ４の後方側への移動により、第３の位置検出スイッチ６４に対する押圧操作が解除される。この第３の位置検出スイッチ６４に対する押圧操作の解除により、ローディング操作が開始される。
【００９４】
そして、この移動操作ピンガイドレバー１２８は、カートリッジホルダ４が第１の位置よりも外筺内方の第２の位置側に位置するときには、イジェクト検出レバー１２３が初期位置に復帰されているために、前方側への回動が阻止される。従って、このとき、移動操作ピンガイドレバー１２８は、移動操作ピン４８の切欠き部１１３への進入を阻止する。
【００９５】
（２−５）イジェクトレバー
次に、カートリッジホルダ４に保持されたディスクカートリッジ２２０又は２２１を排出操作するイジェクトレバー９８を説明する。
【００９６】
このイジェクトレバー９８は、図９に示すように、駆動ピン１００及び該カートリッジホルダ４に保持されたディスクカートリッジ２２０又は２２１に対する当接部となる当接ピン１０１を備え、カートリッジホルダ４の上面側に回動可能に取付けられている。すなわち、イジェクトレバー９８は、駆動ピン１００が設けられた基端部側に穿設した透孔９９をカートリッジホルダ４の平面部に突設した支軸１０２に支持させ、この支軸１０２を中心に回動可能に支持されている。このイジェクトレバー９８は、当接ピン１０１を前方側とする方向に回動されると、この当接ピン１０１により、カートリッジホルダ４に保持されたディスクカートリッジ２２０又は２２１を前方側に押し出す。
【００９７】
トッププレート３に取付けられたガイド部材８４は、カートリッジホルダ４の第１の位置と第２の位置との間に亘る移動に応じて、駆動ピン１００を介してイジェクトレバー９８をカートリッジホルダ４に対して回動させる。
【００９８】
イジェクトレバー９８に設けた駆動ピン１００は、図１４乃至図１８に示すように、カートリッジホルダ４が第１の位置から第２の位置に向かって移動するときには、ガイド部材８４に対する第１の経路を通過し、このガイド部材８４に移動操作されることなく移動する。すなわち、ガイド部材８４は、駆動ピン１００がこのガイド部材８４に対する第１の経路を通過するときには、この駆動ピン１００により突条部８８の一側面８８ａ側が押圧されて引張りバネ８７の付勢力に抗して図８中反矢印Ｄ方向に回動操作され、カートリッジホルダ４が第２の位置に到達したときには、駆動ピン１００が突条部８８より離間することにより引張りバネ８７の付勢力により初期位置に回動復帰する。
【００９９】
そして、駆動ピン１００は、図１８、図２６乃至図２８に示すように、カートリッジホルダ４が第２の位置側から第１の位置側に向かって移動するときには、ガイド部材８４に対する第２の経路を通過し、このガイド部材８４によって移動操作されて、当接ピン１０１がディスクカートリッジ２２０又は２２１を押圧する方向にイジェクトレバー９８を回動させる。すなわち、駆動ピン１００は、ガイド部材８４に対する第２の経路を通過するときには、初期位置に移動されているガイド部材８４の突条部８８の他側面８８ｂに倣ってカートリッジホルダ４に対して移動される。駆動ピン１００がガイド部材８４の突条部８８に倣って移動することにより、イジェクトレバー９８が回動され、当接ピン１０１を介してディスクカートリッジ２２０又は２２１のカートリッジホルダ４からの排出操作が行われる。
【０１００】
（２−６）蓋機構
次に、外筺に設けられたディスクカートリッジ２２０又は２２１をカートリッジホルダ４に対し挿脱する挿脱口を開閉する蓋機構について説明する。
【０１０１】
記録再生部が構成された支持フレーム１６には、挿脱口を開閉する蓋機構を構成する回動蓋１５７を回動操作するとともに回動蓋１５７の回動を制御する蓋制御レバー７３が設けられている。この制御レバー７３は、カートリッジホルダ４の移動位置に応じて、カートリッジホルダ４の側面に突設された支持ピン９５によって回動操作される。
【０１０２】
そして、蓋制御レバー７３は、外筺に設けられた挿脱口に近接する位置に位置されて、図６、図３２及び図３５に示すように、中央部の一側面に植立された支軸７４を支持フレーム１６のフレーム部１６ａを介して取付けられている。すなわち、蓋制御レバー７３は、支持フレーム１６の一方の側壁１７１の内側面に支軸７４を中心に回動可能に取付けられている。
【０１０３】
この蓋制御レバー７３は、支持フレーム１６に取付けたとき、支軸７４を中心にして外筺の内方に位置するの後方側の上面に傾斜面部７８が形成されている。また、支軸７４を中心にして挿脱口側に位置する前方側には係合凹部７５が形成されている。蓋制御レバー７３は、図６に示すように、支持フレーム１６の一方の側壁１７１の内側面に突設した支持片７７ａと後端部との間に配設される圧縮コイルバネ７７により、傾斜面部７８が上方に位置するように図６中矢印Ｃ方向に回動付勢されている。
【０１０４】
また、傾斜面部７８は、蓋制御レバー７３の後方側の上面の中途部を膨出させることによって形成され、蓋制御レバー７３が圧縮コイルバネ７７により回動付勢された初期位置にあるとき、フレーム部１６ａの上端面に形成された移動ガイド部４９よりも上方に突出されている。この傾斜面部７８上を支持ピン９５が通過することにより、蓋制御レバー７３は、傾斜面部７８が移動ガイド部４９の上面と面一になるように支軸７４を中心にして圧縮コイルバネ７７の付勢力に抗して図３５中矢印Ｗ方向に回動される。このときの蓋制御レバー７３の回動範囲は、図３５中矢印θ1 で示す範囲である。
【０１０５】
蓋制御レバー７３の前方側に形成された係合凹部７５は、後方側に向けて開放され、支持ピン９５の外径に対応した幅を有し、初期位置において、下面７５ａが移動ガイド部４９の上面よりも下方側に位置される。この係合凹部７５に支持ピン９５が進入していくとき、蓋制御レバー７３は、係合凹部７５の下面７５ａが移動ガイド部４９の上端面と面一よなるように、圧縮コイルバネ７７の付勢力に抗して図３５中矢印Ｗ方向に回動される。このときの蓋制御レバー７３の回動範囲は、図３５中矢印θ2 で示す範囲である。
【０１０６】
そして、支持ピン９５が傾斜面部７８上に乗り上げて回動されるときの回動範囲θ1 は、支持ピン９５が係合凹部７５に進入していくとき回動される回動範囲θ2 より大きくなされている。
【０１０７】
蓋制御レバー７３の係合凹部７５が形成された前方側の端部には、図３２及び図３５に示すように、連結部材１６０が係合する係合片７６が突設されている。この係合片７６は、連結部材１６０の後方側に設けられた操作ピン１６２に係合している。この連結部材材１６０は、外筐体内において、中央部分を支軸１６１を介して支持され、この支軸１６１を中心に回動可能となされている。そして、連結部材１６０は、蓋制御レバー７３の回動に連動してこの蓋制御レバー７３の回転角度に応じて、支軸１６１を中心にして回動操作される。
【０１０８】
連結部材１６０は、図３２に示すように、前方側部分に、回動蓋１５７の下端側一側から突設された操作突起１５９に当接係合し、回動蓋１５７の挿脱口を開放する方向への回動を規制するロック片１６３と、操作突起１５９を押圧して回動蓋１５７を回動操作させるための操作片１６４とを設けている。
【０１０９】
そして、カートリッジホルダ４がディスクカートリッジ２２０又は２２１の挿脱を可能となす挿脱口側に近接した第１の位置に移動された状態にあるとき、支持ピン９５が係合凹部７５に係合し、この係合凹部７５の下面７５ａを押圧した状態にある。このとき、蓋制御レバー７３は、初期位置より角度θ2 だけ回動された状態にあり、操作突起１５９が、図３３に示すように、ロック片１６３及び操作片１６４との間の中間位置に位置する。従って、このとき、回動蓋１５７は、操作突起１５９をロック片１６３と操作片１６４との間の間隙を通過して図３３中矢印Ｓ方向の挿脱口を開放する方向に回動可能な状態にある。
【０１１０】
回動蓋１５７が回動可能な状態にあるとき、挿脱口にディスクカートリッジ２２０又は２２１を挿入すると、回動蓋１５７は、挿入操作されるディスクカートリッジ２２０又は２２１に押圧されて、支軸１５８を中心して挿脱口を開放させる図３３中矢印Ｓ方向に回動される。
【０１１１】
そして、カートリッジホルダ４が装着部３００に対向する第２の位置に移動されると、蓋制御レバー７３は、支持９５による押圧が解除され圧縮コイルバネ７７の付勢力を受けて初期位置に回動された状態に置かれる。このとき、連結部材１６０は、図３４中矢印Ｕ方向に回動され、ロック片１６３を操作突起１５９に当接させ、回動蓋１５７の挿脱口を開放させる方向に回動を規制する。このように、回動蓋１５７の回動が規制されることにより、挿脱口へのディスクカートリッジ２２０又は２２１の挿入操作が規制され、ディスクカートリッジ２２０又は２２１の二重挿入が禁止される。
【０１１２】
また、カートリッジホルダ４が挿脱口側に近接した第１の位置と装着部３００に対向する第２の位置との間を移動している状態にあるときには、支持ピン９５が傾斜面部７８に乗り上げた状態にあって、蓋制御レバー７３を圧縮コイルバネ７７の付勢力に抗して図３５中矢印Ｗ方向に、図３５中矢印θ1 で示す範囲で回動させた状態におく。そして、連結部材１６０は、操作片１６４により操作突起１５９を押し上げる図３３中矢印Ｔ方向に回動される。このとき、回動蓋１５７は、操作片１５８により押圧操作されて、図３３中矢印Ｓ方向に回動され、挿脱口を開放した位置に置かれる。従って、挿脱口を通過しているディスクカートリッジ２２０又は２２１に対する回動蓋１５７の接触が防止される。
【０１１３】
［３］ディスクカートリッジのローディング操作
上述のような構成を備えた本実施例のディスク記録再生装置にディスクカートリッジ２２０又は２２１を装着部３００に装着し、またこの装着部３００に装着されたディスクカートリッジ２２０又は２２１をイジェクト操作する動作を説明する。
【０１１４】
（３−１）ディスクカートリッジのカートリッジホルダへの挿入操作
記録型のディスクカートリッジ２２０又は再生専用型のディスクカートリッジ２２１をカートリッジホルダ４に挿入操作する場合には、図１２及び図１３に示すように、カートリッジホルダ４を外筺に設けた挿脱口に近接した第１の位置に移動させておく。
【０１１５】
カートリッジホルダ４が第１の位置にあるとき、昇降操作板５は、図１３に示すように、係合片１５５を支持基台１に設けた係合溝８に係合させた位置に移動された状態におかれ、支持基台１に固定されている。昇降操作板５が支持基台１に固定されることにより、記録再生部が構成され、カートリッジホルダ４が取付けられた記録再生部取付け基台２は、ダンパ１０の弾性力を受けることなく支持基台１に固定される。記録再生部取付け基台２が支持基台１に固定されることにより、カートリッジホルダ４は、ディスクカートリッジ２２０又は２２１の挿脱が行われる前面側の開口部を外筺の挿脱口に正確に対向するように位置決めされている。
【０１１６】
カートリッジホルダ４が第１の位置にあるとき、カートリッジホルダ４に設けた支持ピン９５が蓋制御レバー７３の係合凹部７５に係合し、蓋制御レバー７３を圧縮コイルバネ７７の付勢力に抗して回動させた状態に置く。蓋制御レバー７３が支持ピン９５によって回動されることにより、図３３に示すように、回動蓋１５９に設けた操作突起１５９が蓋制御レバー７３によって回動操作される連結部材１６０に設けたロック片１６３及び操作片１６４のいずれにも当接した位置に置かれ、回動蓋１５７を挿脱口を開放する方向に回動可能な状態となす。
【０１１７】
上述のようにカートリッジホルダ４を第１の位置に移動させて状態で、挿脱口を介してディスクカートリッジ２２０又は２２１を挿入していくと、挿入操作されるディスクカートリッジ２２０又は２２１は、回動蓋１５７が支軸１５８を中心にして外筺の内方に回動させながらカートリッジホルダ４に挿入される。
【０１１８】
ディスクカートリッジ２２０又は２２１がカートリッジホルダ４に対し正規に挿入されると、カートリッジホルダ４に設けたシャッタ開放操作片１５６によってシャッタ部材２０６又は２１７が相対移動され、ディスクカートリッジ２２０又は２２１に設けた開口部２２２，２２３が開放される。
【０１１９】
（３−２）ローディング操作
そして、ディスクカートリッジ２２０又は２２１は、挿入方向側の端面が位置決め片１３９，１０７に当接するまで図１４中矢印Ｊ方向に手指により挿入される。挿入されたディスクカートリッジ２２０又は２２１が位置決め片１３９，１０７に当接された後、さらにディスクカートリッジ２２０又は２２１を外筺に内方に押圧操作すると、カートリッジホルダ４はディスクカートリッジ２２０又は２２１と一体に図１４中矢印Ｊ方向に移動され、カートリッジホルダ４の後方端側の一側に設けた押圧操作片８４ａによって押圧されていた第３の位置検出スイッチ６４の押圧を解除する。
【０１２０】
このディスクカートリッジ２２０又は２２１と一体となったカートリッジホルダ４の移動は、カム溝１１２に係合している回転体４５に設けた移動操作ピン４８が、直線状のカム部１１２ａに対向してカム溝１１２内に設けた切欠き部１１３側に相対移動することによって行われる。すなわち、ディスクカートリッジ２２０又は２２１と一体となったカートリッジホルダ４の移動は、移動操作ピン４８が直線状のカム部１１２ａから切欠き部１１３側に移動する範囲で行われる。
【０１２１】
そして、第３の位置検出スイッチ６４の押圧が解除されることにより、カートリッジホルダ４にディスクカートリッジ２２０又は２２１が挿入保持されたことが検出され、この検出信号が制御回路に入力される。そして、制御回路は、上記検出信号が入力されると、駆動モータ３４の正転駆動を開始させる。駆動モータ３４が正転方向に駆動を開始すると、回転体４５が図１４中矢印Ｋ1 方向に回転操作され、この回転体４５に植立した移動操作ピン４８はカム溝１１２の直線状のカム部１１２ａに沿って図１４中矢印Ｒ1 方向に向かう方向に回転していく。移動操作ピン４８が直線状のカム部１１２ａに沿って図１４中矢印Ｒ1 方向に回転していくことにより、カートリッジホルダ４は、ディスクカートリッジ２２０又は２２１を保持したまま、ベース板１５に平行に、装着部３００側に向かって図１４中矢印Ｙ方向に移動操作される。
【０１２２】
カートリッジホルダ４の移動操作を行う移動操作ピン４８は、回転体４５が初期位置から図１４、図１５及び図１６中矢印Ｋ1 方向に略９０度回転された位置に亘って回転されるとき、図１４及び図１５中矢印Ｒ1 方向に向かう方向に回転していき、カートリッジホルダ４を装着部３００方向に向かう図１４、図１５及び図１６中矢印Ｙ方向に移動させる。
【０１２３】
カートリッジホルダ４が第１の位置から装着部３００に対向する第２の位置方向に向かって移動されるとき、イジェクトレバー９８に設けた駆動ピン１００は、ガイド部材８４に対する第１の経路を通過し、このガイド部材８４に操作されることなく移動する。すなわち、ガイド部材８４は、イジェクトレバー９８の駆動ピン１００がこのガイド部材８４に対する第１の経路を通過するときには、駆動ピン１００により突条部８８の一側部が押圧されて引張りバネ８７の付勢力に抗して回動操作される。そして、カートリッジホルダ４が装着部３００に対向する第２の位置に到達すると、ガイド部材８４は、イジェクトレバー９８の駆動ピン１００が突条部８８より離間することにより、引張りバネ８７の付勢力を受けて初期位置に復帰される。
【０１２４】
また、カートリッジホルダ４が第１の位置と第２の位置との間を移動している状態にあるときには、蓋制御レバー７３が支持ピン９５により圧縮コイルバネ７７の付勢力に抗して図３５中矢印Ｗ方向に回動され、連結部材１６０を回動操作し、この連結部材１６０に設けた操作片１５８により回動蓋１５７を挿脱口を開放した側に回動させておく。
【０１２５】
（３−３）ディスクカートリッジの装着部への装着操作
回転体４５が、初期位置から図１４、図１５及び図１６中矢印Ｋ1 方向に略９０度回転された位置に亘って回転され後、さらに同方向に回転されると、移動操作ピン４８は、直線状のカム部１１２ａに沿って逆に図１７及び図１８中矢印Ｒ2 方向に向かう方向に回転していき、カートリッジホルダ４を装着部３００方向に向かう図１７中矢印Ｙ方向に移動させ、図１９に示すように、装着部３００の上方に対向する位置まで移動させる。そして、カートリッジホルダ４が装着部３００の上方に対向する位置まで移動されると、移動操作ピン４８は、図１８に示すようにカム溝１１２の直線状のカム部１１２ａに連続する円弧状のカム部１１２ｂに臨む位置に至る。このとき、回転体４５は、初期位置から略１８０度回転された位置にある。そして、移動操作ピン４８が円弧状のカム部１１２ｂに臨む図１８に示す状態から、回転体４５が図１８中矢印Ｋ1 方向にさらに回転しても、移動操作ピン４８は、この移動操作ピン４８の移動軌跡に一致する円弧状をなすカム部１１２ｂに沿って移動するので、カートリッジホルダ４は、装着部３００上に対向する第２の位置に保持される。ここで、円弧状をなすカム部１１２ｂは、半円状に形成されてなるので、回転体４５のさらなる１８０度の範囲に亘る回動動作中、カートリッジホルダ４は、第２の位置に保持され続ける。
【０１２６】
また、カートリッジホルダ４が装着部３００方向に向かう図１７中矢印Ｙ方向に移動されていくとき、支持ピン９５が支持レバー６５に設けた係合凹部６７に係合していく。そして、回転体４５が図１７矢印Ｋ1 方向にさらに回転し、カートリッジホルダ４が、図１９に示すように、装着部３００の上方に対向する位置まで移動し、さらに回転体４５が図１８中矢印Ｋ1 方向に回転すると、支持ピン９５が支持フレーム１６に設けられた移動ガイド部４９の終端に形成された垂直ガイド溝５０に臨む位置に至る。ここからさらに回転体４５が図１８中矢印Ｋ1 方向に回転すると、移動操作ピン４８はカム溝１１２の円弧状のカム部１１２ｂに進入していくとともに、図１８及び図２０に示すように、昇降操作板５に設けた一対の係合片１４７，１４８間に構成された係合部１４６間に進入していく。 そして、移動操作ピン４８が円弧状のカム部１１２ｂに進入し、係合部１４６間に進入した状態からさらに回転体４５が図１８中矢印Ｋ1 方向に回転していくと、カートリッジホルダ４は装着部３００に対向する位置に維持された状態で昇降操作板５が図２０中矢印Ｎ方向に移動される。すなわち、昇降操作板５は、回転する移動操作ピン４８によって一方の係合片１４７が押圧されることにより図２０中矢印Ｎ方向に移動される。昇降操作板５が図２０中矢印Ｎ方向に移動されていくと、支持ピン９５を支持した支持レバー６５が捩りコイルバネ６６の付勢力を受けて図２０中矢印Ａ方向に回動していく。昇降操作板５の図２０中矢印Ｎ方向に移動にともなって、支持ピン９５は回動付勢する捩りコイルバネ６６の付勢力を受けて、支持フレーム１６に形成した垂直ガイド溝５０にガイドされ、昇降操作板５に形成した傾斜カム部１５２に沿ってベース板１５側に下降していく。
【０１２７】
そして、昇降操作板５の図２０中矢印Ｎ方向への移動にともなって支持ピン９５が垂直ガイド溝５０にガイドされていくと、カートリッジホルダ４に保持されたディスクカートリッジ２２０又は２２１は、位置決め孔２０９及び２１０をそれぞれ位置決めピン１７，１８に係合させ、装着位置の位置決めが図られて装着部３００に装着される。
【０１２８】
また、昇降操作板５は、カートリッジホルダ４をディスクカートリッジ２２０又は２２１が装着部３００に装着させる図２３に示す位置に降下させた位置まで移動されると、係合片１５５の支持基台１に設けた係合溝８への係合が解除される。そして、昇降操作板５が取付けられた記録再生部が構成された記録再生部取付け基台２は、ダンパ１０のみによって支持基台１に支持された状態となる。すなわち、記録再生部取付け基台２は、ダンパ１０を介してフローティン状態で支持された状態となる。このように、記録再生部取付け基台２がフローティン状態で支持されることにより、外筺等に加わる衝撃がダンパ１０により吸収され、記録再生部取付け基台２に振動等が伝達されることが防止される。
【０１２９】
昇降操作板５がカートリッジホルダ４を装着部３００に近接した位置まで降下させた位置まで移動されると、支持ピン９５による蓋制御レバー７３の押圧操作が解除され、蓋制御レバー７３が圧縮コイルバネ７７の付勢力を受けて初期位置に回動される。そして、連結部材１６０が蓋制御レバー７３により回動操作され、ロック片１６３を操作突起１５９に当接させ、回動蓋１５７を挿脱口を閉塞状態に保持する。
【０１３０】
上述のようにディスクカートリッジ２２０又は２２１が装着部に装着されると、これらディスクカートリッジ２２０又は２２１に収納された光磁気ディスク２０１又は光ディスク２３１がディスクテーブル１９に一体に回転可能な状態となされて装着される。ここで、スピンドルモータ２０を駆動させ、光ピックアップ装置２１を駆動させることにより、光磁気ディスク２０１又は光ディスク２３１に記録された情報信号の再生が行われる。
【０１３１】
（３−４）記録モードの選択
昇降操作板５は、図２４及び図２５に示すように、記録型のディスクカートリッジ２２０を装着部３００に装着させた後、回転体４５が図２４中矢印Ｋ1 方  向に回転操作され、図２４中Ｎ方向の前方方向へ移動操作されると、磁気ヘッド装置２６の磁気ヘッド素子２９を、ディスクテーブル１９上に装着された光磁気ディスク２０１に摺接する位置まで移動操作する。
【０１３２】
この状態において、光ピックアップ装置２１及び磁気ヘッド装置２９による、光磁気ディスク２０１に対する情報信号の記録が可能な状態となる。そして、光ピックアップ装置２１、磁気ヘッド装置２９及びスピンドルモータ２０を駆動させることによって、情報信号の記録が行われる。
【０１３３】
なお、昇降操作板５の位置は、第１及び第２の位置検出スイッチ６２，６３により検出され、その検出信号に基づいて制御回路により判別される。この制御回路は、装着部３００に装着されたディスクカートリッジが記録型のディスクカートリッジ２２０であるか、再生専用型のディスクカートリッジ２２１であるか、図示しない検出スイッチを介して検出している。そして、この制御回路は、装着部３００に装着されたディスクカートリッジが再生専用型のディスクカートリッジ２２１である場合には、昇降操作板５を、カートリッジホルダ４を装着部３００側に下降させた位置に保持させる。すなわち、回転体４５を回転操作する駆動モータ３４のさらなる駆動を規制する。
【０１３４】
（３−５）ディスクカートリッジのイジェクト操作
装着部３００に装着されたディスクカートリッジ２２０又は２２１をカートリッジホルダ４から取り出すイジェクト操作を行うには、駆動モータ３４を逆転駆動させる。駆動モータ３４が逆転駆動されると、回転体４５は図２６中矢印Ｋ2 方向に回転操作される。回転体４５は図２６中矢印Ｋ2 方向に回転操作され   ると、移動操作ピン４８によって昇降操作板５が、図２０乃至図２４中矢印Ｍ方向の外筺の内方に向かう方向に移動される。この昇降操作板５の移動によって、カートリッジホルダ４が支持ピン９５を垂直ガイド溝５０にガイドされて装着部３００から離間する上方側に移動され、ディスクカートリッジ２２０又は２２１を装着部３００から離脱させる。
【０１３５】
このとき、移動操作ピン４８は、係合部１４６に係合して昇降操作板５の移動操作を行うが、カム溝１１２の円弧状のカム部１１２ｂ内を移動し、カートリッジホルダ４の水平方向の移動を規制している。
【０１３６】
そして、移動操作ピン４８が円弧状のカム部１１２ｂに沿って１８０度回転すると円弧状のカム部１１２ｂから直線状のカム部１１２ａに臨む位置まで回動され、この回動の過程で、昇降操作板５は、図２０乃至図２４中矢印Ｍ方向の外筺の内方に向かう方向に移動され、係合片１５５を支持基台１に設けた係合溝８に係合させ、カートリッジホルダ４が取付けられた記録再生部取付け基台２を支持基台１に固定する。このとき、移動操作ピン４８は、係合部１４６から離脱され、カム溝１１２の直線状のカム部１１２ａに進入される。この状態からさらに回転体４５が図２６中矢印Ｋ2 方向に回転操作されると、移動操作ピン４８は直線状のカム部１１２ａに沿って図２６中矢印Ｒ3 方向に移動し、カートリッジホルダ４を図２６乃至図２８中矢印Ｏ方向の挿脱口に近接する第１の位置方向に移動させる。
【０１３７】
このとき、イジェクトレバー９８の駆動ピン１００は、ガイド部材８４に対する第２の経路を通過し、このガイド部材８４により移動操作され、イジェクトレバー９８を介して、カートリッジホルダ４に保持されているディスクカートリッジ２２０又は２２１を、図２６乃至図２８中矢印Ｐ方向に挿脱口側に押圧する。すなわち、駆動ピン１００は、ガイド部材８４に対する第２の経路を通過するときには、初期位置にあるガイド部材８４の突条部８８の他側部に倣ってカートリッジホルダ４に対して移動される。
【０１３８】
また、蓋制御レバー７３は、カートリッジホルダ４が第２の位置から第１の位置に向かって移動する間においては、回動蓋１５７を連結部材１６０を介して回動操作して挿脱口を開放させた位置に回動させておき、挿脱口を介して外筺の外部に排出されるディスクカートリッジ２２０又は２２１に当接しないようにしている。
【０１３９】
なお、移送操作ピン４８が円弧状のカム部１１２ｂから抜け出た後、回転体４５が図２６中矢印Ｋ2 方向に略９０度回転されるまでの間において、移動操作ピン４８は直線状のカム部１１２ａに沿って図２６中矢印Ｒ3 方向に移動するが、略９０度を超えて図２６中矢印Ｋ2 方向にさらに略９０度回転される間は、直線状のカム部１１２ａに沿って逆向きの図２８中矢印Ｒ4 方向に移動してカートリッジホルダ４を図２８中矢印Ｏ方向に移動させる。すなわち、回転体４５が全体で１８０度回転されることにより、カートリッジホルダ４は第２の位置から第１の位置へ移動される。
【０１４０】
そして、カートリッジホルダ４が図２８に示す第１の位置まで移動されるとき、イジェクトレバー９８がガイド部材８４によって、ディスクカートリッジ２２０又は２２１をカートリッジホルダ４から突出させる方向に回動される。このイジェクトレバー９８の回動によって、ディスクカートリッジ２２０又は２２１は、挿脱口から一部を突出させ、手指で把持されてカートリッジホルダ４から引き出し可能な状態となされる。このディスクカートリッジ２２０又は２２１を挿脱口から引き出すことによって、イジェクト操作が完了する。
【０１４１】
上述したように、ディスクカートリッジ２２０又は２２１の取り出しを可能となす位置までカートリッジホルダ４が移動されることにより、このディスク記録再生装置は、再びディスクカートリッジ２２０又は２２１をカートリッジホルダ４に挿入を可能となす初期状態となされる。
【０１４２】
【発明の効果】
本発明に係るローディング装置は、記録媒体を保持した保持手段が、記録媒体を装着部に対し装着を行う第２の位置に移動された位置にあるとき、保持手段の第１の位置と第２の位置との間に亘る移動方向と平行な方向に移動操作される移動操作手段が、保持手段を支持する支持手段を回動操作して保持手段を装着部に対し近接させる方向に移動操作してなるので、保持手段を移動操作させる移動手段の移動距離を大きくすることなく、保持手段を記録媒体の挿脱を可能となす第１の位置から装着部に装着を行う第２の位置、さらに第２の位置から装着部に移動させるための機構の移動距離を大きくすることなく確実な送り操作を実現できる。
【０１４３】
また、記録媒体の保持手段は装着部側に移動されたとき、回動操作されることによってこの保持手段を装着部に対し近接離間する方向に移動操作する支持手段により装着部側に押圧支持されるので、記録媒体を装着部側に押圧支持するための独立した手段を設ける必要がなくなるので、機構の簡素化が実現される。
【０１４４】
さらにまた、保持手段が第１の位置から第２の位置に向かって移動する方向と、移動操作手段が支持手段を回動操作して保持手段を装着部に対し近接離間する方向に移動させるときの移動方向が相対向する方向とされてなることから、保持手段と移動操作手段との相対移動距離を一層小型化でき、ローディング装置及びこのローディング装置を適用した記録及び／又は再生装置の小型化を実現できる。
【図面の簡単な説明】
【図１】本発明に係る記録及び／又は再生装置の記録媒体として用いられる光磁気ディスクを収納した記録型のディスクカートリッジを示す斜視図である。
【図２】上記ディスクカートリッジをディスクテーブルへの装着面側か見た斜視図である。
【図３】本発明に係る記録及び／又は再生装置の記録媒体として用いられる光ディスクを収納した再生専用型のディスクカートリッジを示す斜視図である。
【図４】上記ディスクカートリッジをディスクテーブルへの装着面側か見た斜視図である。
【図５】本発明に係るローディング装置が適用された記録再生装置の分解斜視図である。
【図６】記録再生部が構成された記録再生部取付け基台が支持される支持基台を示す斜視図である。
【図７】記録再生部が構成された記録再生部取付け基台を示す斜視図である。
【図８】支持フレーム上に取り付けられるトッププレートを示す斜視図である。
【図９】ディスクカートリッジが保持されるカートリッジホルダを示す斜視図である。
【図１０】カートリッジホルダ、トッププレート及び昇降操作板の配置の関係を示す分解斜視図である。
【図１１】カートリッジホルダの移動を規制する昇降操作板を示す斜視図である。
【図１２】ディスクカートリッジの挿脱を可能となす第１の位置にカートリッジホルダが移動された状態を示す平面図である。
【図１３】カートリッジホルダが第１の位置に移動された状態を示す側面図である。
【図１４】ディスクカートリッジがカートリッジホルダに挿入された状態を示す平面図である。
【図１５】カートリッジホルダが外筺内方の第２の位置に向かって移動を開始する状態における平面図である。
【図１６】カートリッジホルダが外筺内方の第２の位置に向かって移動を開始した直後の状態を示す平面図である。
【図１７】カートリッジホルダが外筺内方の第２の位置に向かって移動する途中の状態を示す平面図である。
【図１８】カートリッジホルダが装着部に対向する第２の位置に移動された状態を示す平面図である。
【図１９】カートリッジホルダが装着部に対向する第２の位置に移動された状態を示す側面図である。
【図２０】カートリッジホルダが装着部側に向かって移動する途中の状態を示す平面図である。
【図２１】カートリッジホルダが装着部側に向かって移動する途中の状態を示す側面図である。
【図２２】カートリッジホルダに保持されたディスクカートリッジが装着部に装着された状態を示す平面図である。
【図２３】ディスクカートリッジが装着部に装着された状態を示す側面図である。
【図２４】装着部に装着されたディスクカートリッジ内の光磁気ディスクに磁気ヘッド装置を摺接させ、情報信号の記録を可能となす記録モード状態を示す平面図である。
【図２５】記録モード状態を示す側面図である。
【図２６】カートリッジホルダを第２の位置から第１の位置に向かって移動させるイジェクト操作の開始状態を示す平面図である。
【図２７】カートリッジホルダが第２の位置から第１の位置に向かって移動するイジェクト操作の途中の状態を示す平面図である。
【図２８】カートリッジホルダが第１の位置に移動され、ディスクカートリッジの取り出しを可能となすイジェクト操作が完了した状態を示す平面図である。
【図２９】本発明に係るローディング装置が適用された記録再生装置の要部を示す側面図である。
【図３０】本発明に係るローディング装置が適用された記録再生装置の要部を示す正面図である。
【図３１】本発明に係るローディング装置が適用された記録再生装置の要部を一部を破断して示す背面図である。
【図３２】外筺に設けた挿脱口を開閉する回動蓋及び回動蓋の開閉機構を示す斜視図である。
【図３３】回動蓋が挿脱口を開放することを可能となす状態を示す側面図である。
【図３４】回動蓋が挿脱口を閉塞した状態を示す側面図である。
【図３５】回動蓋の開閉を制御する蓋制御レバーを示す側面図である。
【符号の説明】
２  記録再生取付け基台
３  トッププレート
４  カートリッジホルダ
５  昇降操作板
１５  ベース板
１６  支持フレーム
４９  支持フレームに設けた移動ガイド部
５０  垂直ガイド溝
６５  支持レバー
６７  支持レバーに設けた係合凹部
２２０  記録再生型のディスクカートリッジ
２２１  再生専用型のディスクカートリッジ
３００  装着部
【図１】
0003692576.tif 000002
【図２】
0003692576.tif 000003
【図３】
0003692576.tif 000004
【図４】
0003692576.tif 000005
【図５】
0003692576.tif 000006
【図６】
0003692576.tif 000007
【図７】
0003692576.tif 000008
【図８】
0003692576.tif 000009
【図９】
0003692576.tif 000010
【図１０】
0003692576.tif 000011
【図１１】
0003692576.tif 000012
【図１２】
0003692576.tif 000013
【図１３】
0003692576.tif 000014
【図１４】
0003692576.tif 000015
【図１５】
0003692576.tif 000016
【図１６】
0003692576.tif 000017
【図１７】
0003692576.tif 000018
【図１８】
0003692576.tif 000019
【図１９】
0003692576.tif 000020
【図２０】
0003692576.tif 000021
【図２１】
0003692576.tif 000022
【図２２】
0003692576.tif 000023
【図２３】
0003692576.tif 000024
【図２４】
0003692576.tif 000025
【図２５】
0003692576.tif 000026
【図２６】
0003692576.tif 000027
【図２７】
0003692576.tif 000028
【図２８】
0003692576.tif 000029
【図２９】
0003692576.tif 000030
【図３０】
0003692576.tif 000031
【図３１】
0003692576.tif 000032
【図３２】
0003692576.tif 000033
【図３３】
0003692576.tif 000034
【図３４】
0003692576.tif 000035
【図３５】
0003692576.tif 000036